(57)【要約】  中心軸線の周りに回転運動を行う少なくとも１つの粉砕カップを有する実験室用粉砕機であって、粉砕カップが、液状又はガス状媒体を導く導管に接続されているものにおいて、導管が、静止部分（１５）及び粉砕カップ（１１）の運動に連結される可動部分（１６）を持つ回転ブッシング（１４）を経て導かれ、静止部分（１５）が固定導管用の少なくとも１つの接続部（１１８ａ，１１８ｂ）を持ち、可動部分（１６）が粉砕カップ（１１）に至る導管用の少なくとも１つの接続部（１１７ａ，１１７ｂ）を持っている。
2012516236.tif 000002
【特許請求の範囲】
【請求項１】
中心軸線の周りに回転運動を行う少なくとも１つの粉砕カップを有する実験室用粉砕機であって、粉砕カップが、液状又はガス状媒体を導く導管に接続されているものにおいて、導管が、静止部分（１５）及び粉砕カップ（１１）の運動に連結される可動部分（１６）を持つ回転ブッシング（１４）を経て導かれ、静止部分（１５）が固定導管用の少なくとも１つの接続部（１１８ａ，１１８ｂ）を持ち、可動部分（１６）が粉砕カップ（１１）に至る導管用の少なくとも１つの接続部（１１７ａ，１１７ｂ）を持っていることを特徴とする、実験室用粉砕機。
【請求項２】
各粉砕カップ（１１）に、媒体の導入及び導出用の２つの導管（１２，１３）が接続され、これらの導管（１２，１３）が回転ブッシング（１４）を経て導かれ、回転ブッシング（１４）の静止部分（１５）及び可動部分（１６）に、それぞれ２つの外部接続部（１１８ａ，１１８ｂ）及び内部接続部（１１７ａ，１１７ｂ）が形成されていることを特徴とする、請求項１に記載の実験室用粉砕機。
【請求項３】
回転ブッシング（１４）の静止部分（１５）及び可動部分（１６）に、回転ブッシング（１４）を通って媒体を導く穴（１７，１８）が形成され、静止部分（１５）及び可動部分（１６）にある穴（１８）が、互いに一直線をなして可動部分（１６）の運動軸線に延びるそれぞれ１つの部分を持っていることを特徴とする、請求項１又は２に記載の実験室用粉砕機。
【請求項４】
回転ブッシング（１４）に形成される穴（１７，１８）の互いに一直線をなす部分が、静止部分（１５）と可動部分（１６）との間で、それぞれ互いに密封されていることを特徴とする、請求項３に記載の実験室用粉砕機。
【請求項５】
回転ブッシング（１４）の可動部分（１６）に、穴（１７，１８）の一直線をなす部分に続いてノズル（３２）が形成されて、静止部分（１５）に形成される受入れ部（３３）へはまり、ノズル（３２）と受入れ部（３３）との間に密封片（３４）が設けられていることを特徴とする、請求項４に記載の実験室用粉砕機。
【請求項６】
回転ブッシング（１４）の静止部分（１５）が、可動部分（１６）に対して半径方向に密封されていることを特徴とする、請求項４又は５に記載の実験室用粉砕機。
【請求項７】
回転ブッシング（１４）の静止部分（１５）が、可動部分（１６）に対して端面で密封されていることを特徴とする、請求項４又は５に記載の実験室用粉砕機。
【請求項８】
複数の粉砕カップ（１１）が設けられ、各粉砕カップ（１１）に回転ブッシング（１４）が付属していることを特徴とする、請求項１〜７の１つに記載の実験室用粉砕機。
【請求項９】
実験室用粉砕機（１０）に設けられて回転運動を行う粉砕カップ取付け具（２６）に粉砕カップ（１１）が固定され、少なくとも１つの導管が粉砕カップ取付け具（２６）に接続され、粉砕カップ取付け具（２６）が粉砕カップ（１１）に流体技術的に接続されていることを特徴とする、請求項１〜８の１つに記載の実験室用粉砕機。
【請求項１０】
粉砕カップ（１１）が円弧運動を行うことを特徴とする、請求項１〜９の１つに記載の実験室用粉砕機。
【請求項１１】
静止部分（１５）に形成される接続部（１１８ａ，１１８ｂ）が、可動部分（１６）に形成される接続部（１１７ａ，１１７ｂ）に、可撓導管部分（３５）を介して接続されていることを特徴とする、請求項１０に記載の実験室用粉砕機。
【請求項１２】
粉砕カップ（１１）が回転運動を行うことを特徴とする、請求項１〜９の１つに記載の実験室用粉砕機。
【請求項１３】
粉砕カップ（１１）の中心軸線が、この中心軸線から離れた装置軸線の周りに回転し、各回転軸線にそれぞれ１つの回転ブッシング（１４）が付属していることを特徴とする、請求項１〜９の１つに記載の実験室用粉砕機。
【請求項１４】
媒体が液体窒素であることを特徴とする、請求項１〜１３の１つに記載の実験室用粉砕機。
【請求項１５】
液状又はガス状媒体が温度調節されていることを特徴とする、請求項１〜１３の１つに記載の実験室用粉砕機。
【請求項１６】
媒体が分析ガスであることを特徴とする、請求項１〜１３の１つに記載の実験室用粉砕機。
【発明の詳細な説明】
【技術分野】
【０００１】    本発明は、中心軸線の周りに回転運動を行う少なくとも１つの粉砕カップを有する実験室用粉砕機であって、粉砕カップが、液状又はガス状媒体を導く導管に接続されているものに関する。
【背景技術】
【０００２】  このような実験室用粉砕機又は１：１の変速比を持つ遊星粉砕機の形で公知である。脆い材料がこのような実験室用粉砕機では特に効率的に粉砕されることがわかっている限り、液体窒素による付加的な脆化が行われる。このため液体窒素を動く粉砕カップへ連続的に導入し、粉砕カップから導出せねばならない。これに関し粉砕カップへの液状又はガス状媒体例えば液体窒素の供給を適当に設けられる可撓ホースにより行うことが公知である。この場合ホースが粉砕カップ取付け具に直接取付けられ、それから粉砕カップ取付け具と挿入される粉砕カップとの流体技術的接続が行われる。しかし実際に使用する場合これらの接続ホースは、粉砕カップの運動による交番荷重の大きい振幅のため、僅かな寿命しか持っていない。従って特に液体窒素を使用する場合、接続ホースの故障の際人間が危険にさらされるのを防止するため、付加的な安全対策が必要である。【０００３】  窒素を使用するほかに、粉砕過程における機械的エネルギの別な使用は、化学反応を開始するため一層大きいエネルギの短時間の局部的な発生を利用する。現れる反応に応じて、場合によっては粉砕カップを冷却するか又は加熱せねばならない。このことも、反応空間を温度調節するため媒体の連続供給を必要とする。【０００４】  別の使用の場合、粉砕物の粉砕の際、更に分析の対象となるガスが発生する。従ってこれらのガスを粉砕カップから導出し、取出される体積を適当なガス導入により補償せねばならない。
【発明の概要】
【発明が解決しようとする課題】
【０００５】  前述したすべての使用に特有な問題は、動く粉砕カップへ液状又はガス状媒体を導くことであり、従って本発明の基礎になっている課題は、最初にあげた種類の特徴を持つ実験室用粉砕機において、液状又はガス状媒体を通すために必要な導管の一層確実な接続が保証されるようにすることである。
【課第を解決するための手段】
【０００６】  この課題の解決策は、本発明の有利な構成及び展開を含めて、特許請求の範囲から明らかになる。
【０００７】  本発明は、その基本思想において、導管が、静止部分及び粉砕カップの運動に連結される可動部分を持つ回転ブッシングを経て導かれ、静止部分が固定導管用の少なくとも１つの接続部を持ち、可動部分が粉砕カップに至る導管用の少なくとも１つの接続部を持っているようにする。
【０００８】  本発明に伴う利点は、粉砕カップと媒体用の導入導管及び導出導管との接続が十分剛性の導管システムを介して行われることである。なぜならば、可動粉砕カップと定置の供給システム又は除去システムとの間の相対運動は、中間に接続される回転ブッシングの静止部分に対して可動な可動部分を介して相殺されるからである。それぞれの運動は、回転ブッシング内においてできるだけ小さい半径に減少されるので、回転ブッシングの静止部分と可動部分とのこのように最小にされる相対速度及び相対運動のため、回転ブッシングの静止部分及び可動部分にあって互いに一直線をなす穴部分の間で作用する接触密封片を使用することができる。
【０００９】  本発明の実施例によれば、各粉砕カップに、媒体の導入及び導出用の２つの導管が接続され、これらの導管が回転ブッシングを経て導かれ、回転ブッシングの静止部分及び可動部分に、それぞれ２つの外部接続部及び内部接続部が形成されている。
【００１０】  本発明の実施例によれば、回転ブッシングの静止部分及び可動部分に、回転ブッシングを通って媒体を導く穴が形成され、静止部分及び可動部分にある穴が、互いに一直線をなして可動部分の運動軸線に延びるそれぞれ１つの部分を持っている。
【００１１】  密封される導管路の製造に関して本発明の実施例によれば、回転ブッシングに形成される穴の互いに一直線に並ぶ部分が、静止部分と可動部分との間で、それぞれ互いに密封されている。
【００１２】  そのために、回転ブッシングの可動部分に、穴の一直線をなす部分に続いてノズルが形成されて、静止部分に形成される受入れ部へはまり、ノズルと受入れ部との間に密封片が設けられているようにすることができる。
【００１３】  本発明の別の実施例では、ブッシングの部分の相互配置に関して、回転ブッシングの静止部分が、可動部分に対して半径方向に又は端面でも密封されている。
【００１４】  実験室用粉砕機が複数の粉砕カップを含んでいることが公知である限り、本発明の実施例によれば、複数の粉砕カップも設けられ、各粉砕カップに回転ブッシングが付属している。
【００１５】  従来技術において、実験室用粉砕機に設けられる粉砕カップ取付け具に粉砕カップを固定することが公知である限り、本発明の実施例によれば、少なくとも１つの導管が粉砕カップ取付け具に接続され、粉砕カップ取付け具が粉砕カップに流体技術的に接続されている。それに応じて、回転ブッシングが粉砕カップ取付け具に付属している。
【００１６】  実験室用粉砕機の異なる構造において、粉砕カップが異なる運動も行うことができる限り、本発明の実施例によれば、粉砕カップが円弧運動を行う。このような実施形態では、回転ブッシングの静止部分に対する可動部分の相対運動も限定されているので、実験室用粉砕機のこのような実施形態では、静止部分に形成される接続部が、可動部分に形成される接続部に、可撓導管部分を介して接続されているようにすることができる。
【００１７】  その代わりに、粉砕カップが付属する取付け具において回転運動を行うようにすることができ、その際回転ブッシングの可動部分に対して回転運動を与えねばならない。
【００１８】  本発明の実施例によれば、粉砕カップの中心軸線が、この中心軸線から離れた装置軸線の周りに回転し、各回転軸線にそれぞれ１つの回転ブッシングが付属している。この特徴を例えば遊星ミルが持ち、その粉砕カップが遊星円板の中心軸線の周りに同心的に回転し、同時にこの遊星円板が太陽歯車の中心点の周りに回転する。このように互いに重なる円運動では、回転中心毎に少なくとも１つの回転ブッシングを使用せねばならない。
【００１９】  最後に実験室用粉砕機の使用に関して、媒体が液体窒素であるか、又は使用される液状又はガス状媒体が温度調節されて、例えば粉砕カップのために加熱作用又は冷却作用を生じるか、又は媒体が特別な分析ガスである。
【００２０】  図面には本発明の実施例が示されており、以下に説明される。
【図面の簡単な説明】
【００２１】
【図１】  液体窒素による作動のために設けられて付属する供給装置及び除去装置とその間に接続される回転ブッシングを持つ実験室用粉砕機を概略図で示す。
【図２】  振動ミルとして構成されて粉砕カップ及び付属する回転ブッシングを持つ実験室用粉砕機の構造を斜視全体図で示す。
【図３】  図２による回転ブッシングの構成を拡大図で示す。
【図４】  図３による回転ブッシングの別の実施例を示す。
【発明を実施するための形態】
【００２２】  図１からわかるように、概略的のみ示す実験室用粉砕機１０は粉砕カップ１１を持ち、この粉砕カップ１１に液体窒素を供給するための供給導管１２及び戻り導管１３が接続されている。導管１２及び１３は、粉砕カップ１１の運動を考慮して、静止部分１５及び可動部分１６を持つ回転ブッシング１４を経て導かれている。静止部分１５は、可動部分１６をその間に包囲する２つの部分１５ａ，１５ｂから成り、これらの部分は、ここには示してないが実験室用粉砕機１０のハウジングに結合される取付け具を介して互いに固定されている。可動部分１６には２つの穴１７ａ，１７ｂが形成され、穴１７ａは供給導管１２に接続され、穴１７ｂは戻り導管１３に接続されている。回転ブッシング１４の可動部分１６において穴１７ａ，１７ｂがそれぞれ９０°外方へ屈曲し、ここで静止部分１５ａ，１５ｂに適当に形成される穴１８ａ及び１８ｂに接続され、穴１７ａ及び１８ａ又は穴１７ｂ及び１８ｂの互いに一直線をなす導管部分が、静止部分１５に対する可動部分１６の運動軸線に設けられている。
【００２３】  静止部分１５ａの穴１８ａに、液体窒素用貯蔵容器２１から来る供給導管１９が接続され、供給導管１９には、制御機能及び安全機能を持つ適当な弁２０が挿入されている。貯蔵容器２１には、液体レベル２２を持つ液体窒素が存在する。
【００２４】  静止部分１５ｂの穴１８ｂには、同様に液体レベル２とぉ持つ液体窒素が存在する戻り導管２３が接続されている。
【００２５】  この配置からわかるように、回転ブッシング１４の可動部分１６及び静止部分１５に設けられる穴１７ａと１８ａ又は１７ｂと１８ｂとの間の導管移行をやめることなく、可動部分１６が静止部分１５に対して動くことができる。
【００２６】  実験室用粉砕機１０と関連する回転ブッシング１４の構成が図２からわかる。ここに示される液体窒素用供給導管１９は、適当に設けられる弁２０を介して回転ブッシング１４の静止部分１５の接続部１１８ａに接続されている。図示した実施例からわかるように、静止部分１５の両方の部分１５ａ及び１５ｂは、実験室用粉砕機１０のハウジングに結合される保持体３０に固定されている。静止部分１５ｂ又はその接続部１１８ｂから戻り導管２３が捕集容器２４へ出ている。
【００２７】  図２から、接続される導管用の接続部１１７ａ及び１１７ｂを持つ可動部分１６、即ち粉砕カップ取付け具２６へ導かれてそれに接続されている供給導管１２及び戻り導管１３がわかる。粉砕カップ取付け具２６は回転可能に支持される振動クランク２７に取付けられ、運動軸線２８の周りに振動運動を行う。これにより粉砕カップ取付け具２６へ挿入されかつ流体技術的に粉砕カップ取付け具２６に接続されている図示しない粉砕カップの内部に、粉砕体運動が発生される。回転ブッシング１４は、その中心又は互いに一直線をなす穴部分１７ａ，１８ａ又は１７ｂ，１８ｂが延長された運動軸線２８と一直線をなすように設けられている。
【００２８】  液体窒素は、供給導管１９及び弁２０接続部１１８ａを経て回転ブッシング１４へ導入され、可動部分１６の接続部１１７ａに接続される供給導管１２を経て回転ブッシング１４から出る。窒素流は粉砕カップ取付け具２６へ導かれ、そこから再び回転ブッシング１４の可動部分へ戻され、最終的に回転ブッシング１４の静止部分１５及びそれに接続される戻り導管２３を経て捕集容器２４へ達する。捕集容器２４に設けられるセンサ３１が液体窒素に接触すると、弁２０が閉じられる。センサがもはや一緒にぬらされないほど多くの窒素が気化されていると、弁２０が再び開かれる。
【００２９】  図３から更にわかるように、半径方向に突出するそれぞれ１つのノズル３２を持つ可動部分１６が、両方の静止部分１５ａ及び１５ｂにそれぞれ形成される受入れ部３３へはまり、受入れ部３３に半径方向密封片３４が設けられて、可動部分１６のノズル３２を包囲し、その密封リップにより静止部分１５ａ又は１５ｂを可動部分１６に対して密封する。図示した実施例においてこの密封が半径方向配置で行われている限り、密封は端面でも行うことができる。
【００３０】  図４に示す本発明の実施例では、静止部分１５及び可動部分１６の内部に穴が形成されておらず、静止部分１５ａ，１５ｂにある供給導管１９及び戻り導管２３用の接続部１１８ａ，１１８ｂと、可動部分１６にある供給導管１２及び戻り導管１３用の接続部１１７ａ，１１７ｂが、可撓導管部分３５例えば接続ホースにより接続されている。しかしこのような実施形態は、粉砕カップ１１が円弧運動を行う実験室用粉砕機においてのみ意味がある
【００３１】  前述の説明、特許請求の範囲、要約及び図面に開示されているこの書類の対象の特徴は、個々にも任意の組合わせでも、本発明を種々の実施形態で実現するために重要である。
【図１】
2012516236.tif 000003
【図２】
2012516236.tif 000004
【図３】
2012516236.tif 000005
【図４】
2012516236.tif 000006
【国際調査報告】
2012516236.tif 000007
2012516236.tif 000008
2012516236.tif 000009
2012516236.tif 000010